(57)【要約】【課題】  小売店に訪れた顧客に対して、金属製メガネフレームにレンズを嵌めて提供する場合、その場で好みのカラーにフレームを染色することが出来るサービスの提供。【解決手段】  小売店には洗浄工程、染色工程、洗浄工程、及び乾燥工程を行うことが出来る槽を備えた染色装置を設置し、該メガネフレームの表面に形成した無色透明な樹脂層に所定のカラーを染色し、これにレンズを嵌めて提供する。【選択図】    図３
2005157209.tif 000002
【特許請求の範囲】
【請求項１】
小売店に訪れた顧客に対して、金属製メガネフレームにレンズを嵌めて提供する場合、上記小売店には洗浄工程、染色工程、洗浄工程、及び乾燥工程を行うことが出来る槽を備えた染色装置を設置し、該メガネフレームの表面に形成した無色透明な樹脂層に所定のカラーを染色し、これにレンズを嵌めて提供することを特徴とするメガネフレームのカラー選択サービスシステム。
【発明の詳細な説明】
【技術分野】
【０００１】
本発明は小売店にてメガネを販売するに際して、顧客の好みのカラーに染色して提供するメガネフレームのカラー選択サービスシステムに関するものである。
【背景技術】
【０００２】
メガネフレームはレンズを保持して顔に掛ける為の一種の道具であって、長時間にわたって着用しても疲れることがないように色々工夫にされている。その為に、近年のメガネフレーム、特に金属製メガネフレームではチタン等の軽くてバネ性の高い材質が好まれている。しかし、メガネは軽くて疲れ難いといった機能性のみならず、顔に掛けることでファッション性が要求されている為に、色々な装飾・デザインが施されていることも事実である。
【０００３】
バネ性に優れたチタン材を用いてスリムなメガネフレームが構成されているが、これもメガネフレームのデザインを考慮した１つである。その他に、メガネフレームの２次加工として、塗装したり、カラーメッキしたり、時には宝石等の貴金属部品を取り付けることで、メガネに高級感を与えるといった工夫も従来から行われて来ている。
【０００４】
ところで、客がメガネを購入するに際して眼科医で視力を測定し、この測定した視力に合ったレンズをメガネフレームのリムに嵌められる。その為に、レンズはリムに嵌るように所定の形状に切削加工される。レンズの度数は測定することで定められるが、メガネフレームの形態は多種多様であって、好みに合うものを選ぶことになるが、この際フレームのカラーもその１つである。
【０００５】
小売店にとって、多種多様なメガネフレームを準備することは大きな経済負担が強いられ、さらに各フレームに対して各々のカラーも色々準備することは不可能である。カラーに関してはメーカーに依頼して染色することは可能であるが、それでは出来上がって顧客に手渡すまでに日数がかかってしまう。そして、希望したカラーに染色したメガネフレームはイメージしたものと異なる場合も多い。
【０００６】
近年、メガネを購入するに際して自分の顔に似合うものを選択できるようなサービスも色々知られている。例えば、特開２００１−３５７３８９号に係る「眼鏡フレーム選択サービスシステム及びそのプログラム記録媒体」は、顔の構成要素を分解して構成要素毎のタイプと関連付けられた眼鏡レンズの情報を保存する保存手段と、顧客の顔画像から顔の構成要素を抽出する抽出手段と、抽出手段の抽出結果に基づき保存手段に保存されている眼鏡フレームを選択する選択手段と、選択された眼鏡フレームを提示する提示手段とを含んでいる。
【０００７】
特開平５−３５８２７号に係る「眼鏡の選択及び設計システム」は、ビデオカメラによって取り込んだ人の映像を人が心理的に記憶している顔色にコンピュータにより色補正する手段、この色補正された人の顔色の濃度、彩度、及び撮影光線の方向にフレーム画像を合わせる手段、髪色、服装、化粧の色などを変更する手段を備えたシステムで、画面上で設計されたフレーム、レンズの製造に関する情報を出力して、フレーム、レンズをオーダーメイドする。
【特許文献１】特開２００１−３５７３８９号に係る「眼鏡フレーム選択サービスシステム及びそのプログラム記録媒体」
【特許文献２】特開平５−３５８２７号に係る「眼鏡の選択及び設計システム」
【発明の開示】
【発明が解決しようとする課題】
【０００８】
上記特開２００１−３５７３８９号に係る「眼鏡フレーム選択サービスシステム及びそのプログラム記録媒体」や特開平５−３５８２７号に係る「眼鏡の選択及び設計システ」を用いることで、メガネフレームに好みのカラーを表現することは可能であるが、コンピュータの画面上に表示されるメガネフレームと実際のメガネフレームとの間には多少のズレが発生するだけでなく、メガネの購入に訪れた顧客に対してその場でメガネを提供することは不可能である。
【０００９】
本発明が解決しようとする課題はこの問題点であり、顧客が好みのメガネフレームを選択すると共に、該メガネフレームに好みのカラーを形成し、これに所定のレンズを嵌めて提供することが出来るメガネフレームのカラー選択サービスシステムを提供する。
【課題を解決するための手段】
【００１０】
本発明はメガネの購入に訪れた顧客に対して、その場で好みのカラーを形成して提供することが出来るサービスシステムである。メガネフレームは基本的に金属製であり、この金属製メガネフレームをカラー染色する為に、表面に無色透明の樹脂層が形成されている。従って、メガネフレームを高温に保たれた染色液に入れることで樹脂層内に染色顔料が含浸する。
【００１１】
小売店では小型の染色装置を備え、顧客が好むカラーにその場で染色することが出来る。その為に、小売店には染色されてないメガネフレームが保管され、レンズを加工している間に該メガネフレームを染色し、加工されたレンズを染色が完了したメガネフレームのリムに嵌めて顧客に提供する。
【発明の効果】
【００１２】
本発明に係るメガネフレームのカラー選択サービスシステムは、小売店に訪れた顧客に好みのメガネフレームを選んでもらうと共に、該メガネフレームに好みのカラーを染色して提供することが出来る。染色することが出来るカラー見本を見て、同じカラーに染色することが出来る為に、出来上がったメガネフレームのカラー色がイメージからズレることはない。
【００１３】
そして、カラー染色はその場で行われるために、再度店を訪れる必要がなく、さらにカラー染色加工のために長時間待つ必要もない。すなわち、顧客が所持した視力の測定結果に基づいてレンズを加工しなくてはならず、このレンズ加工時間をカラー染色の為に費やされ、カラー染色されたメガネフレームのリムにレンズを嵌めることが出来る。そして、小売店は複数カラーのメガネフレームを準備する必要がないために、経済的な負担が軽減される。
【実施例】
【００１４】
図１は一般的な金属製のメガネフレームを表している。該メガネフレームはフロント部１と２本のツル２，２から成り、フロント部１は連結部材４にて連結された両リム３，３と、リム３，３の外側にロウ付けされているヨロイ５，５を有し、上記ツル２，２はヨロイ５，５に継手を介して折畳み可能に取付けられている。そしてツル２，２の先端部には概略Ｌ型をした樹脂製のモダン６，６が挿着され、又リム３，３の内側であって連結部材４の下側には鼻当てパット７，７が取付けられている。
【００１５】
そして、該メガネフレームの表面には無色透明な樹脂が塗布されて薄い樹脂層(樹脂膜)を形成している。メガネの小売店はこの状態のメガネフレームを保管し、顧客の好みに応じてカラー染色して提供する。図２はツル２の断面拡大図を示しているが、その表面には樹脂層８が形成されている。該樹脂層８は無色透明であって薄いために、外観上では樹脂層８の有無は分からない。
【００１６】
そして、メガネフレームがカラー染色されるならば、上記樹脂層８に染色顔料が含浸される。すなわち、金属面には直接含浸されない為に、表面に樹脂層８を形成し、ある高温に保たれている染色液に漬すことで該樹脂層８に染色顔料を含浸することが出来る。ここで、メガネフレームの表面をカラー染色する場合、モダン６及び鼻当てパット７は取外して行われる。
【００１７】
図３はカラー染色工程を示しているが、染色に先立ってメガネフレームは水洗いされ、付着している汚れを除去する。そして洗浄されたメガネフレームは染色される。染色の方法は色々あるが一般的には染色液を７０℃〜８０℃に加熱すると共に染色液を循環し、これにメガネフレームを漬す。カラー染色されたメガネフレームは染色槽から引き上げられて再び洗浄される。その後、乾燥して完了する。
【００１８】
このように、４つの工程で構成されているために、夫々の工程用の槽を備え、メガネフレームを吊り下げて該槽に漬すことが出来る。水平に配列した４個の槽に沿って移動する動きと、各槽に漬すために上下動する動きを備えた搬送装置を用いることでカラー染色を行うことが出来る。そして個々の槽に漬す時間は前以て定められ、動きはコンピュータにて制御される。一般には２０分程度で完了する。
【００１９】
ここで、洗浄工程が２回あるが、洗浄工程を１個の槽で兼用するように、搬送装置の動きを制御することも可能である。ところで、カラー染色は表面に樹脂層８が形成されている部分であり、この樹脂層８を形成しない箇所はカラー染色されない。
【図面の簡単な説明】
【００２０】
【図１】一般的な金属製メガネフレーム。
【図２】ツルの断面拡大図。
【図３】カラー染色工程図。
【符号の説明】
【００２１】
１  フロント部
２  ツル
３  リム
４  連結部材
５  ヨロイ
６  モダン
７  鼻当てパット
８  樹脂層
【図１】
2005157209.tif 000003
【図２】
2005157209.tif 000004
【図３】
2005157209.tif 000005